(57)【要約】      （修正有）【課題】検体希釈機構を備えた構成において検体の廃棄量を最小限に抑えて検体の利用効率の向上を図ることが可能な自動分析装置を提供する。【解決手段】検体容器を保持する検体保持部と、希釈容器保持部と、反応容器保持部と、検体容器内の検体を、希釈容器に分注する検体分注装置と、希釈容器内の希釈検体を、反応容器に分注する希釈検体分注装置と、検体容器内の検体情報を入力するための入力部５２と、入力された検体情報に基づいて、希釈容器に対する希釈検体の分注量の割り付けを変更した複数の分注パターンについて、検体と希釈検体の分注シミュレーションを実施し、希釈容器内に分注されずに残される希釈検体の量が最も少ない分注パターンを抽出する演算処理部５４と、演算処理部で抽出した分注パターンに従って検体の分注と希釈検体の分注が実施されるように、検体分注装置と希釈検体分注装置の駆動を制御する駆動制御部５５とを備えた自動分析装置。【選択図】図２
2020106325.tif 000002
【特許請求の範囲】
【請求項１】
検体が収容された検体容器を保持する検体保持部と、
複数の希釈容器を保持する希釈容器保持部と、
複数の反応容器を保持する反応容器保持部と、
前記検体保持部に保持された前記検体容器内の検体を、前記希釈容器保持部に保持された前記希釈容器に分注する検体分注装置と、
前記希釈容器内において検体を希釈した希釈検体を、前記反応容器保持部に保持された複数の反応容器に分注する希釈検体分注装置と、
前記検体保持部に保持された検体容器内の検体情報を入力するための入力部と、
前記入力部から入力された検体情報に基づいて前記複数の希釈容器に対する前記希釈検体の分注量の割り付けを変更した複数の分注パターンについて、前記検体と前記希釈検体の分注シミュレーションを実施し、前記希釈容器内に分注されずに残される希釈検体の量が最も少ない分注パターンを抽出する演算処理部と、
前記演算処理部で抽出した分注パターンに従って前記検体の分注と前記希釈検体の分注が実施されるように、前記検体分注装置と前記希釈検体分注装置の駆動を制御する駆動制御部とを備えた
自動分析装置。
【請求項２】
前記検体情報は、前記検体保持部に保持された前記検体容器内の検体について設定された測定項目を含み、
前記演算処理部は、前記複数の測定項目のうち、前記各測定項目に対して設定されている前記希釈検体の希釈率が同一の測定項目のグループ毎に前記シミュレーションを実施する
請求項１に記載の自動分析装置。
【請求項３】
複数の測定項目と、前記複数の測定項目のそれぞれに関連付けて、前記検体の希釈率と、前記希釈検体の使用量と、前記希釈検体分注装置による前記測定項目間の分注順序とが保存された記憶部を備え、
前記演算処理部は、前記記憶部から取得した情報に基づいて、前記シミュレーションを実施する
請求項１または２に記載の自動分析装置。
【請求項４】
前記希釈検体分注装置による前記希釈容器から前記複数の反応容器への前記希釈検体の分注は、前記検体保持部に保持された検体容器内の検体について設定された複数の測定項目に対応し、前記複数の測定項目間に設定された分注順序にしたがって実施される
請求項１〜３の何れか１項に記載の自動分析装置。
【請求項５】
前記検体分注装置による前記検体容器から前記希釈容器への前記検体の分注は、所定の分注単位量で、所定の分注単位数上限の範囲で実施される
請求項１〜４の何れか１項に記載の自動分析装置。
【請求項６】
前記希釈検体分注装置による前記希釈容器から前記複数の反応容器への前記希釈検体の分注は、分注の上限回数の範囲内で実施される
請求項１〜５の何れか１項に記載の自動分析装置。
【請求項７】
前記希釈検体分注装置による前記希釈容器から前記複数の反応容器への前記希釈検体の分注は、前記希釈容器内から吸引することができずに残される前記希釈容器のデッドボリューム以上の値に設定されたセルダミー量を、前記希釈容器内における前記希釈検体の分注量から差し引いた分注可能量の範囲で実施される
請求項１〜６の何れか１項に記載の自動分析装置。
【請求項８】
検体が収容された検体容器を保持する検体保持部と、
複数の希釈容器を保持する希釈容器保持部と、
複数の反応容器を保持する反応容器保持部と、
前記検体保持部に保持された前記検体容器内の検体を、前記希釈容器保持部に保持された前記希釈容器に分注する検体分注装置と、
前記希釈容器内において検体を希釈した希釈検体を、前記反応容器保持部に保持された複数の反応容器に分注する希釈検体分注装置と、
前記検体保持部に保持された検体容器内の検体情報を入力するための入力部とを備えた自動分析装置による自動分析方法であって、
前記入力部から入力された検体情報に基づいて前記複数の希釈容器に対する前記希釈検体の分注量の割り付けを変更した複数の分注パターンについて、前記検体と前記希釈検体の分注シミュレーションを実施し、前記希釈容器内に分注されずに残される希釈検体の量が最も少ない分注パターンを抽出し、
前記抽出した分注パターンに従って前記検体の分注と前記希釈検体の分注が実施されるように、前記検体分注装置と前記希釈検体分注装置の駆動を制御する
自動分析方法。
【発明の詳細な説明】
【技術分野】
【０００１】
本発明は、自動分析装置および自動分析方法に関する。
【背景技術】
【０００２】
血液や尿などの検体に含まれる生体成分を分析する自動分析装置には、検体と希釈液とを希釈容器に分注し、これらを混合した希釈検体を反応容器内に分注して試薬と反応させ、希釈検体の反応状態を測定する構成のものがある。
【０００３】
このような構成の自動分析装置について、下記特許文献１には「希釈ピペットによる希釈容器への分注量が一定であり、分析で必要な試料（検体）量が前記一定の分注量を超えるとき、複数回の吸引分注により必要な試料量を分注する」ことが開示され、また「希釈容器の容量は一定であり、分析で必要な試料量が前記容量を超えるとき、前記希釈ピペットにより、同一試料を複数の希釈容器に分注する」ことが開示されている。
【先行技術文献】
【特許文献】
【０００４】
【特許文献１】特開平８−１９４００４号公報
【発明の概要】
【発明が解決しようとする課題】
【０００５】
ところで、上述した生体成分を分析する自動分析装置においては、１つの検体について、複数の測定項目に対応する分析処理が実施される。この場合、検体に設定される測定項目は検体毎にそれぞれ異なり、また必要とされる検体量（試料量）も測定項目毎および検体毎に異なる。このため、１つの検体の分析処理に対して必要とされる希釈検体量は、検体毎に異なることとなる。また、複数の測定項目の分析処理を実施するための希釈容器から反応容器内への希釈検体の分注は、予め決められた順に実施され、かつ希釈容器から１つの反応容器への希釈検体の分注は、１回の分注動作によってなされる。
【０００６】
したがって、上記特許文献１に開示されているように「希釈ピペットによる希釈容器への分注量が一定であり、」また「希釈容器の容量は一定であり、分析で必要な試料量が前記容量を超えるとき、前記希釈ピペットにより、同一試料を複数の希釈容器に分注する」構成の場合、希釈容器内には使用されずに残される希釈検体が発生することになる。しかしながら、従来の自動分析装置では、希釈容器内に使用されずに残される希釈検体の量、すなわち検体の廃棄量を最小限に抑える制御がなされていないため、検体の利用効率が低かった。
【０００７】
そこで本発明は、検体希釈機構を備えた構成において検体の廃棄量を最小限に抑えて検体の利用効率の向上を図ることが可能な自動分析装置および自動分析方法を提供することを目的とする。
【課題を解決するための手段】
【０００８】
このような目的を達成するための本発明は、検体が収容された検体容器を保持する検体保持部と、複数の希釈容器を保持する希釈容器保持部と、複数の反応容器を保持する反応容器保持部と、前記検体保持部に保持された前記検体容器内の検体を、前記希釈容器保持部に保持された前記希釈容器に分注する検体分注装置と、前記希釈容器内において検体を希釈した希釈検体を、前記反応容器保持部に保持された複数の反応容器に分注する希釈検体分注装置と、前記検体保持部に保持された検体容器内の検体情報を入力するための入力部と、前記入力部から入力された検体情報に基づいて前記複数の希釈容器に対する前記希釈検体の分注量の割り付けを変更した複数の分注パターンについて、前記検体と前記希釈検体の分注シミュレーションを実施し、前記希釈容器内に分注されずに残される希釈検体の量が最も少ない分注パターンを抽出する演算処理部と、前記演算処理部で抽出した分注パターンに従って前記検体の分注と前記希釈検体の分注が実施されるように、前記検体分注装置と前記希釈検体分注装置の駆動を制御する駆動制御部とを備えた自動分析装置である。
【発明の効果】
【０００９】
本発明によれば、検体希釈機構を備えた構成において検体の廃棄量を最小限に抑えて検体の利用効率の向上を図ることが可能な自動分析装置および自動分析方法を提供することができる。
【図面の簡単な説明】
【００１０】
【図１】実施形態に係る自動分析装置を示す概略構成図である。
【図２】実施形態に係る自動分析装置のブロック図である。
【図３】実施形態に係る自動分析装置における分注動作を説明する図である。
【図４】実施形態の自動分析装置を用いた自動分析方法を示すフローチャート（その１）である。
【図５】実施形態の自動分析装置を用いた自動分析方法を示すフローチャート（その２）である。
【発明を実施するための形態】
【００１１】
以下、本発明の自動分析装置および自動分析方法の実施の形態を、図面に基づいて詳細に説明する。
【００１２】
≪自動分析装置≫
図１は、実施形態に係る自動分析装置１を示す概略構成図であり、一例として血液や尿などの検体に含まれる生体成分を分析する生化学分析装置に本発明を適用した自動分析装置１の概略構成図である。特にこの自動分析装置１は、検体を希釈液によって希釈する機構を備えたものである。このような自動分析装置１は、測定部１ａと制御部１ｂとを備えている。
【００１３】
このうち測定部１ａは、例えば検体保持部２、希釈容器保持部３、第１試薬保持部４、第２試薬保持部５、および反応容器保持部６を備えている。また測定部１ａは、希釈撹拌装置１１、希釈洗浄装置１２、第１反応撹拌装置１３、第２反応撹拌装置１４、計測部１５、および反応容器洗浄装置１６を備えている。
【００１４】
また測定部１ａは、複数の分注装置２０を備えている。各分注装置２０は、ここでは例えば検体分注装置２０ａ、希釈検体分注装置２０ｂ、第１試薬分注装置２０ｃ、および第２試薬分注装置２０ｄの４つである。
【００１５】
図２は、実施形態に係る自動分析装置のブロック図である。この図に示すように、制御部１ｂは、表示部５１、入力部５２、記憶部５３、演算処理部５４、および駆動制御部５５を備えている。
【００１６】
以下、図１および図２に基づいて、これらの構成要素の詳細を、測定部１ａおよび制御部１ｂの順に説明する。
【００１７】
＜測定部１ａ＞
［検体保持部２］
検体保持部２は、例えばターンテーブル状のものであって、その周縁に沿って複数の検体容器Ｐ２を複数列で保持し、保持した検体容器Ｐ２を円周の双方向に搬送する構成である。この検体保持部２は、不図示の駆動機構によって周方向に沿って回転可能に支持されている。検体保持部２に保持される各検体容器Ｐ２には、検査対象となる検体や、他の溶液が貯留される。検体保持部２には、各種の検体が所定の位置に保持される構成となっている。このような検体保持部２は、保持した検体容器Ｐ２や他の容器を冷却する機能を有していてもよい。
【００１８】
［希釈容器保持部３］
希釈容器保持部は、例えばターンテーブル状のものであって、その周縁に沿って複数の希釈容器Ｐ３を保持し、保持した希釈容器Ｐ３を円周の双方向に搬送する構成である。この希釈容器保持部３は、不図示の駆動機構によって周方向に沿って回転可能に支持されている。希釈容器保持部３に保持される希釈容器Ｐ３には、検体保持部２に配置された検体容器Ｐ２から吸引された検体と、希釈液とが分注される。
【００１９】
希釈容器保持部３に保持される希釈容器Ｐ３は、その形状および大きさが限定されることはなく、各自動分析装置１および検体の種類に適する形状および大きさのものが用いられる。また希釈容器Ｐ３は、次に説明する希釈検体分注装置２０ｂによって希釈容器Ｐ３内から吸引することができずに希釈容器Ｐ３内に残されるデッドボリュームを有する。このデッドボリュームは、希釈容器Ｐ３の形状に依存する量となる。
【００２０】
［第１試薬保持部４および第２試薬保持部５］
第１試薬保持部４は、例えばターンテーブル状のものであって、その周縁に沿って複数の第１試薬容器Ｐ４を保持する。また、第２試薬保持部５は、例えばターンテーブル状のものであって、その周縁に沿って複数の第２試薬容器Ｐ５を保持する。そして、それぞれ保持した第１試薬容器Ｐ４および第２試薬容器Ｐ５を円周の双方向に搬送する構成である。これらの第１試薬保持部４および第２試薬保持部５は、不図示の駆動機構によって周方向に沿って回転可能に支持されている。なお、自動分析装置１に設けられた試薬保持部は、第１試薬保持部４および第２試薬保持部５の２つに限定されることはなく、１つであってもよいし３つ以上の複数であってもよい。自動分析装置１に設けられた試薬保持部が１つである場合、１つの試薬保持部に対応させて、以降に説明する第１試薬分注装置２０ｃおよび第２試薬分注装置２０ｄが設けられた構成であってよい。
【００２１】
［反応容器保持部６］
反応容器保持部６は、希釈容器保持部３と、第１試薬保持部４と、第２試薬保持部５との間に配置される。この反応容器保持部６は、例えばターンテーブル状のものであって、その周縁に沿って複数の反応容器Ｐ６を保持し、保持した反応容器Ｐ６を円周の双方向に搬送する構成である。この反応容器保持部６は、不図示の駆動機構によって周方向に沿って回転可能に支持されている。反応容器保持部６に保持される反応容器Ｐ６は、希釈容器保持部３の希釈容器Ｐ３から採取した希釈検体、第１試薬保持部４の第１試薬容器Ｐ４から採取した第１試薬、さらに第２試薬保持部５の第２試薬容器Ｐ５から採取した第２試薬が、それぞれ所定量で分注されるものである。そして、この反応容器Ｐ６内において、希釈検体と第１試薬および第２試薬とが撹拌されてこれらの反応が行われるか、または希釈検体と第１試薬とが撹拌されてこれらの反応が行われる。なお、反応容器Ｐ６内において、希釈検体と共に撹拌される第１試薬および第２試薬は、各検体に対して実施される検査項目に対応して選択される。
【００２２】
以上のような反応容器保持部６は、不図示の恒温槽により、反応容器Ｐ６の温度を常時一定に保持するように構成されている。
【００２３】
［希釈撹拌装置１１］
希釈撹拌装置１１は、希釈容器保持部３の周囲に配置されている。希釈撹拌装置１１は、撹拌機構、および撹拌機構を駆動するための駆動機構を有する。希釈撹拌装置１１は、希釈容器保持部３に保持された希釈容器Ｐ３内において検体と希釈液とを撹拌し、検体と希釈液とを混合した希釈検体とする。
【００２４】
［希釈洗浄装置１２］
希釈洗浄装置１２は、希釈容器保持部３の周囲に配置されている。希釈洗浄装置１２は、以降に説明する希釈検体分注装置２０ｂによって希釈検体が吸引された後の希釈容器Ｐ３を洗浄する装置である。
【００２５】
［第１反応撹拌装置１３および第２反応撹拌装置１４］
第１反応撹拌装置１３および第２反応撹拌装置１４は、反応容器保持部６の周囲に配置されている。第１反応撹拌装置１３および第２反応撹拌装置１４は、反応容器保持部６に保持された反応容器Ｐ６内において、希釈検体と、第１試薬または第２試薬とを撹拌し、希釈検体と、第１試薬と、第２試薬との反応を進める。このような第１反応撹拌装置１３および第２反応撹拌装置１４は、希釈撹拌装置１１と同様の構成のものであってよい。
【００２６】
［計測部１５］
計測部１５は、反応容器保持部６の周囲における反応容器保持部６の外壁と対向するように配置されている。計測部１５は、反応容器Ｐ６内において検査項目に対応する第１試薬および第２試薬と反応した希釈検体に対して光学的測定を行なう多波長光度計であって、検体中の様々な成分の量を吸光度として出力し、希釈検体の反応状態を検出するものである。
【００２７】
［反応容器洗浄装置１６］
反応容器洗浄装置１６は、反応容器保持部６の周囲に配置されている。反応容器洗浄装置１６は、検査が終了した反応容器Ｐ６内を洗浄する装置である。
【００２８】
［検体分注装置２０ａ］
検体分注装置２０ａは、細管状の分注プローブ２１として検体プローブ２１ａを備え、検体保持部２と希釈容器保持部３の周囲に配置されている。図３は、実施形態に係る自動分析装置１における分注動作を説明する図である。図１および図３に示す検体分注装置２０ａは、予め設定された測定プログラムにしたがって、不図示の駆動機構により、検体プローブ２１ａの先端を検体保持部２に保持された検体容器Ｐ２内の検体［Ｓ］中に挿入し、所定量の検体［Ｓ］を検体プローブ２１ａ内に吸引する。
【００２９】
また、検体分注装置２０ａは、希釈容器保持部３の希釈容器Ｐ３内に検体プローブ２１ａの先端を挿入し、検体プローブ２１ａ内に吸引した検体［Ｓ］と、検体分注装置２０ａ自体から供給される所定量の希釈液［Ｄ］（例えば、生理食塩水や純水）とを、希釈容器Ｐ３内に吐出する。これにより、希釈容器Ｐ３内において、検体［Ｓ］を所定の希釈率に希釈する。このような検体分注装置２０ａによる検体［Ｓ］と希釈液［Ｄ］との分注は、１つの希釈容器Ｐ３に対して、所定の分注単位量［ｖ］を１単位とし、設定に従った単位数を割り付けて実施される。なお、割り付けられる単位数は、検体［Ｓ］と希釈液［Ｄ］の希釈容器Ｐ３への分注量が、希釈容器Ｐ３の容量を超えない分注単位数上限［Ｕ］の範囲であることとする。
【００３０】
一例として、検体［Ｓ］と希釈液［Ｄ］とを希釈率５倍で、容量４００μＬの希釈容器Ｐ３に分注する場合であれば、検体［Ｓ］３０μＬと希釈液［Ｄ］１２０μＬの合計１５０μＬを分注単位量［ｖ］とし、希釈容器Ｐ３内に１単位（１×［ｖ］=１５０μＬ）または２単位（２×［ｖ］=３００μＬ）の分注を行う。この場合、分注単位数上限［Ｕ］は２単位となる。このような各希釈容器Ｐ３に対する分注単位の割り付けの設定は、以降の自動分析方法において詳細に説明する。
【００３１】
また以上のような検体分注装置２０ａは、ここでの図示を省略した洗浄機構を備え、１回の分注動作毎に検体プローブ２１ａを洗浄する構成となっている。
【００３２】
［希釈検体分注装置２０ｂ］
希釈検体分注装置２０ｂは、分注装置２０のうちの１つであって、細管状の分注プローブ２１として希釈検体プローブ２１ｂを備え、希釈容器保持部３と反応容器保持部６の間に配置されている。希釈検体分注装置２０ｂは、予め設定された測定プログラムにしたがって、不図示の駆動機構により、希釈検体プローブ２１ｂの先端を、希釈容器保持部３の希釈容器Ｐ３内に挿入し、システム水が充填された希釈検体プローブ２１ｂの先端から、所定量の希釈検体［Ｓｄ］を吸引する。この際、希釈検体プローブ２１ｂは、各検体に設定された測定項目に対応する量の希釈検体［Ｓｄ］を希釈容器Ｐ３内から吸引する。
【００３３】
また希釈検体分注装置２０ｂは、反応容器保持部の反応容器Ｐ６内に希釈検体プローブ２１ｂの先端を挿入し、希釈検体プローブ２１ｂ内に吸引した希釈検体［Ｓｄ］を、反応容器Ｐ６内に吐出する。これにより希釈検体分注装置２０ｂは、希釈容器Ｐ３から反応容器Ｐ６内に、測定項目に対応する量の希釈検体［Ｓｄ］を分注する。
【００３４】
以上のような希釈検体分注装置２０ｂは、ここでの図示を省略した洗浄機構を備え、１回の分注動作毎に希釈検体プローブ２１ｂを洗浄する構成となっている。このため、１つの希釈容器Ｐ３から複数の反応容器Ｐ６に対して分注を実施する場合、希釈容器Ｐ３内の希釈検体に対して洗浄液が混入する。したがって、希釈検体分注装置２０ｂによる希釈検体［Ｓｄ］の分注動作に対しては、１つの希釈容器Ｐ３から複数の反応容器Ｐ６への希釈検体の分注に上限回数［Ｎ］が設定される。この上限回数［Ｎ］は、少ない数であるほど、希釈検体分注装置２０ｂから希釈容器Ｐ３への洗浄液の持込量を低く抑えることができるため、希釈検体［Ｓｄ］の希釈率が保持されて分析結果に対する高い信頼性が確保されることになる。しかしながら、分注の上限回数［Ｎ］が少ない数であるほど、廃棄する検体量が多くなる。このような分注の上限回数［Ｎ］は、それぞれの装置に対して個別に設定され、一例として１５回程度である。
【００３５】
また、希釈検体分注装置２０ｂが希釈検体［Ｓｄ］を吸引する希釈容器Ｐ３は、先に述べたように希釈容器Ｐ３内から吸引することができずに希釈容器Ｐ３内に残されるデッドボリュームを有する。このため、希釈容器Ｐ３には、このデッドボリューム以上の値のセルダミー量［ｄ］が設定され、希釈検体分注装置２０ｂは、セルダミー量［ｄ］の希釈検体［Ｓｄ］が希釈容器Ｐ３に残されるように、分注可能量の範囲での希釈検体［Ｓｄ］の分注が実施される。このようなセルダミー量［ｄ］は、一例として５０μＬ程度である。
【００３６】
［第１試薬分注装置２０ｃ，第２試薬分注装置２０ｄ］
図１を参照し、第１試薬分注装置２０ｃおよび第２試薬分注装置２０ｄは、分注装置２０のうちの１つであって、他の分注装置と同様の構成であり、反応容器保持部６と第１試薬保持部４および第２試薬保持部５との間に配置されている。第１試薬分注装置２０ｃは、予め設定された測定プログラムにしたがって、第１試薬保持部４の第１試薬容器Ｐ４から反応容器Ｐ６に第１試薬を分注する。また第２試薬分注装置２０ｄは、予め設定された測定プログラムにしたがって、第２試薬保持部５の第２試薬容器Ｐ５から反応容器Ｐ６に第２試薬を分注する。
【００３７】
また、以上のような第１試薬分注装置２０ｃおよび第２試薬分注装置２０ｄは、ここでの図示を省略した洗浄機構を備え、１回の分注動作毎にそれぞれに備えられた試薬プローブ２１ｃ，２１ｄｂを洗浄する構成となっている。
【００３８】
＜制御部１ｂ＞
図１および図２を参照し、制御部１ｂは、上述した測定部１ａを構成する各構成要素の駆動機構、および計測部１５に接続されている。このような制御部１ｂは、相互に接続された表示部５１、入力部５２、記憶部５３、演算処理部５４、および駆動制御部５５を備える。このうち、記憶部５３、演算処理部５４、および駆動制御部５５は、マイクロコンピューターなどの計算機によって構成されている。計算機は、ＣＰＵ（Central Processing Unit：中央処理装置）、ＲＯＭ（Read Only Memory）およびＲＡＭ（Random Access Memory）などの記憶部を備え、自動分析装置１内の各部の動作を制御する。ＲＯＭおよびＲＡＭなどの記憶部は、記憶部５３であってもよい。以下、制御部１ｂの各構成要素の詳細を説明する。
【００３９】
［表示部５１］
表示部５１は、計測部１５による測定結果を表示する他、自動分析装置１における各種の設定情報や各種の履歴情報を表示する。この表示部５１には、例えば、液晶ディスプレイ装置等が用いられる。
【００４０】
［入力部５２］
入力部５２は、自動分析装置１のオペレーターによって行われる各種の設定に関する入力やその他の入力を受け付け、入力信号を駆動制御部５５に出力する。この入力部５２には、例えば、マウス、キーボード、表示部５１における表示面に設けられたタッチパネル等が用いられる。また入力部５２は、例えば検体保持部２に保持された検体容器Ｐ２のバーコードを読み取るバーコードリーダーである場合も含む。
【００４１】
［記憶部５３］
記憶部５３は、例えば、ＨＤＤ（Hard disk drive）や半導体メモリなどの大容量の記録装置によって構成される。この記憶部５３には、次に説明する駆動制御部５５が実行する各種のプログラム、プログラムを実行するための各種の設定情報が保存される。これらの情報は、予め記憶部５３に保持されているか、または入力部５２からの入力に基づいて記憶部５３に保存された情報である。
【００４２】
記憶部５３に記憶される情報のうちの設定情報としては、測定項目関連情報および分注条件などである。このうち測定項目関連情報は、各検体に対して実施される測定項目に関する情報である。この測定項目関連情報は、各測定項目の分析処理において実施する検体の分注処理の際の検体の希釈率、各測定項目で使用する検体量、および測定項目間の分注順序に関する情報を含むこととする。また分注条件は、検体容器Ｐ２から希釈容器Ｐ３への検体の分注、および希釈容器Ｐ３から反応容器Ｐ６への希釈検体の分注に関する諸条件であり、以降の自動分析方法において詳細に説明する。なお、これらの測定関連情報および分注条件は、装置毎の情報であることとする。
【００４３】
［演算処理部５４］
演算処理部５４は、入力部５２からの入力、および記憶部５３に保存された情報に基づいて、駆動制御部５５による制御の判断を実施する。特にこの演算処理部５４は、入力部５２からの入力、および記憶部５３に保存された情報に基づいて、分注シミュレーションを実施し、各希釈容器Ｐ３への分注単位の割り付けを設定する。演算処理部５４による分注単位の割り付けの設定は、１つの検体を分注する希釈容器Ｐ３の個数の設定を含み、検体毎に実施される。このような演算処理部５４による分注単位の割り付けの設定については、次の自動分析方法において詳細に説明する。
【００４４】
［駆動制御部５５］
駆動制御部５５は、入力部５２、記憶部５３、および演算処理部５４からの信号に基づいて、測定部１ａを構成する各部の駆動機構の作動を制御し、検体保持部２の検体容器Ｐ２内に収容された検体の分析処理を実施する。このような駆動制御部５５は、特に検体分注装置２０ａの駆動を制御するための分注制御部５５ａ、希釈検体分注装置２０ｂの駆動を制御するための希釈検体分注制御部５５ｂ、第１試薬検体分注装置２０ｃの駆動を制御するための第１試薬分注制御部５５ｃ、および第２試薬検体分注装置２０ｄの駆動を制御するための第２試薬分注制御部５５ｄを備える。
【００４５】
≪自動分析方法≫
図４は、実施形態の自動分析装置１を用いた自動分析方法を示すフローチャート（その１）である。また図５は、実施形態の自動分析装置１を用いた自動分析方法を示すフローチャート（その２）である。以下、図４および図５のフローチャートに示す順に、先に示した図１および図２を参照して実施形態の自動分析装置１を用いた自動分析方法を説明する。これらの図を用いて説明する自動分析方法は、検体容器Ｐ２内の検体を、希釈容器Ｐ３内に分注する際の分注前処理として適用される手順である。
【００４６】
この手順は、図２を用いて説明した演算処理部５４および駆動制御部５５を構成するＣＰＵが、記憶部５３に保存されたプログラムを実行することにより、以下のように実施される。
【００４７】
＜ステップＳ１０１＞
ステップＳ１０１において、演算処理部５４は、入力部５２から検体情報が入力されたか否かを判断し、入力された（ＹＥＳ）と判断されるまで待機する。ここで検体情報とは、検体保持部２に保持された検体容器Ｐ２内の検体に関する情報であり、検体に関するＩＤ情報、およびその検体に設定された測定項目である。このような検体情報は、例えば検体容器Ｐ２に添付されたバーコード情報であって、バーコードリーダーを入力部５２として読み込まれた情報であってよい。演算処理部５４は、このような検体情報が入力された（ＹＥＳ）と判断された場合に、次のステップＳ１０２に進む。
【００４８】
＜ステップＳ１０２＞
ステップＳ１０２において、演算処理部５４は、入力された検体情報に基づいて、検体保持部２の特定位置に保持された検体について実施する測定項目に関連付けされた測定項目関連情報を取得する。ここで取得する測定項目関連情報は、各測定項目の分析処理の一部として実施する検体の分注処理に関する情報であり、各測定項目での検体の希釈率、各測定項目で使用する検体量、および測定項目間の分注順序に関する情報を含むこととする。これらの測定項目関連情報は、ステップＳ１０１で入力された検体情報に基づいて、例えば記憶部５３に保持された情報の中から取得される。また測定項目関連情報の幾つかは、ステップＳ１０１において検体情報として入力された情報であってもよい。なお、各測定項目で使用する検体量の情報は、所定の希釈率で希釈された希釈検体の使用量であって、希釈容器Ｐ３から反応容器Ｐ６に分注される希釈検体の量である。以下、このような希釈検体の使用量を検体使用量と記す。
【００４９】
＜ステップＳ１０３＞
ステップＳ１０３において、演算処理部５４は、分注条件に関する分注情報を記憶部５３から取得する。ここで取得する分注情報は、セルダミー量［ｄ］、希釈容器Ｐ３から反応容器Ｐ６への分注の上限回数［Ｎ］、分注単位量［ｖ］、および分注単位数上限［Ｕ］である。
【００５０】
このうちセルダミー量［ｄ］は、希釈容器Ｐ３内から吸引することができずに希釈容器Ｐ３内に残されるデッドボリューム以上の値に設定されている。セルダミー量［ｄ］は、多いほど分注動作に対する高い信頼性が確保されることになるが、廃棄する検体量が多くなる。なお、このセルダミー量［ｄ］は、予め記憶部５３に保存された値であってもよいが、入力部５２から入力されてもよい。ここでは一例として、セルダミー量［ｄ］＝５０μＬであることとする。
【００５１】
分注の上限回数［Ｎ］は、１つの希釈容器Ｐ３から複数の反応容器Ｐ６への、希釈検体分注装置２０ｂによる希釈検体の繰り返し分注の回数制限値として設定されている。分注の上限回数［Ｎ］は、少ない数であるほど、希釈検体分注装置２０ｂから希釈容器Ｐ３への洗浄液の持込量を低く抑えることができるため、希釈検体の希釈率が保持されて分析結果に対する高い信頼性が確保されることになる。しかしながら、分注の上限回数［Ｎ］が少ない数であるほど、廃棄する検体量が多くなる。ここでは一例として、分注の上限回数［Ｎ］＝１５回であることとする。
【００５２】
分注単位量［ｖ］は、検体容器Ｐ２から希釈容器Ｐ３への検体分注装置２０ａによる１回の分注量であって、次に説明する分注単位の１単位分の量である。ここでは一例として、分注単位量［ｖ］＝１５０μＬであることとする。
【００５３】
分注単位数上限［Ｕ］は、検体容器Ｐ２から１つの希釈容器Ｐ３への分注回数の上限であって、決められた分注単位量［ｖ］の検体と希釈液とを分注する場合に設定される分注単位の上限値である。一例として、容量４００μＬの希釈容器Ｐ３に１５０μＬの分注単位量［ｖ］で検体と希釈液とを分注する場合、分注単位数上限［Ｕ］は、分注単位数上限［Ｕ］＝２単位に設定される。
【００５４】
＜ステップＳ１０４＞
ステップＳ１０４において、演算処理部５４は、ステップＳ１０１で取得した測定項目を、ステップＳ１０２で取得した測定項目関連情報に基づいてグループ化し、検体の希釈率毎のｍ個のグループを作成する。
【００５５】
＜ステップＳ１０５＞
ステップＳ１０５において、演算処理部５４は、ｍ＝１とする処理を行う。
【００５６】
＜ステップＳ１０６＞
ステップＳ１０６において、演算処理部５４は、第ｍグループの測定項目の検体使用量を合算した合算値［Ｔ］を算出する。下記表１には、第ｍグループ内の測定項目と、各測定項目の分析における検体使用量の一例を、測定項目に割り当てられた分注順の測定項目番号を付して示した。なお、検体使用量は、希釈容器Ｐ３から反応容器Ｐ６への分注量である。
【００５７】
【表１】
2020106325.tif 000003
【００５８】
＜ステップＳ１０７＞
ステップＳ１０７において、演算処理部５４は、ステップＳ１０６で算出した合算値［Ｔ］とセルダミー量［ｄ］の合計が、分注単位量［ｖ］以下であるか否かの判断を行う。そして、合算値［Ｔ］とセルダミー量［ｄ］の合計が、分注単位量［ｖ］以下である（ＹＥＳ）と判断した場合には、ステップＳ１０８に進む。一方、合算値［Ｔ］とセルダミー量［ｄ］の合計が、分注単位量［ｖ］を超えていれば、分注単位量［ｖ］以下ではない（ＮＯ）と判断してステップＳ２０１に進む。
【００５９】
＜ステップＳ１０８＞
ステップＳ１０８において、演算処理部５４は、第ｍグループの測定項目数が、分注の上限回数［Ｎ］以下であるか否かの判断を実施する。そして、分注の上限回数［Ｎ］以下である（ＹＥＳ）と判断した場合には次のステップＳ１０９に進む。一方、分注の上限回数［Ｎ］を超えていれば、上限回数［Ｎ］以下ではない（ＮＯ）と判断してステップＳ２０１に進む。
【００６０】
＜ステップＳ１０９＞
ステップＳ１０９において、演算処理部５４は、第ｍグループの測定項目の分析を実施するための分注パターンを、１つの希釈容器Ｐ３に対する１単位の分注に設定する。その後ステップＳ３０１に進む。
【００６１】
＜ステップＳ２０１＞
一方、ステップＳ２０１において、演算処理部５４は、複数の希釈容器Ｐ３への分注単位の割り付けを変更した複数の分注パターンを作成する。ここでは、例えば設定された個数の希釈容器Ｐ３に対して、分注単位数上限［Ｕ］（＝２）の範囲で分注単位を変更して割り付けた複数の分注パターンを作成する。
【００６２】
分注単位を割り付ける希釈容器Ｐ３の個数は、例えば次のようにして設定する。先ず、複数の希釈容器Ｐ３に分注単位［１単位］を割り付ける。そして分注単位［１単位］が割り付けられた各希釈容器Ｐ３に対して、ステップＳ１０２で取得した測定項目間の分注順序で、測定項目を割り付けていく。下記表２には、希釈容器番号１，２の希釈容器Ｐ３に対して分注単位［１単位］を割り付け、第ｍグループの測定項目を分注順序にしたがって希釈容器番号１の希釈容器Ｐ３から順に割り付けた例を示す。
【００６３】
【表２】
2020106325.tif 000004
【００６４】
表２に示すように、各希釈容器Ｐ３に対する測定項目の割り付けは、分注の上限回数［Ｎ］の範囲、かつ分注可能量の範囲で、１つの希釈容器Ｐ３に対して測定項目を割り付ける。分注の上限回数［Ｎ］とは、ステップＳ１０３で取得した希釈容器Ｐ３から反応容器Ｐ６への分注の上限回数［Ｎ］の範囲であって、この分注の上限回数［Ｎ］（＝１５回）が、１つの希釈容器Ｐ３に対して割り付け可能な測定項目の数の上限となる。また、分注可能量とは、希釈容器Ｐ３から反応容器Ｐ６への分注可能な希釈検体の量であって、分注単位量［ｖ］（＝１５０μＬ）からセルダミー量［ｄ］（＝５０μＬ）を差し引いた値（１００μＬ）である。
【００６５】
表２に示すように、分注単位［１単位］が割り付けられた各希釈容器Ｐ３に対して、第ｍグループの測定項目の全てを割り付けるには、２個の希釈容器Ｐ３が必要であることがわかる。このためここでは、分注単位を割り付ける希釈容器Ｐ３の個数を２個に設定する。
【００６６】
次に、設定された個数の希釈容器Ｐ３に希釈容器番号１，２を付し、希釈容器番号１，２を付した希釈容器Ｐ３に対して、分注単位数上限［Ｕ］（＝２）の範囲で分注単位の割り付けを変更した複数の分注パターンを作成する。この場合、設定された個数の希釈容器Ｐ３の全てに割り付ける分注単位を変更する必要はなく、分注順序が最も遅い測定項目が割り付けられる希釈容器Ｐ３は、分注単位［１単位］に固定してよい。また、分注順序が早い測定項目が割り付けられる希釈容器番号１の希釈容器Ｐ３に割り付ける分注単位のみを変更する構成としてもよい。希釈容器番号の何番までの分注単位を変更するかは、第１ｍグループの測定項目の数と、ステップＳ１０６で算出した合算値［Ｔ］とによって決定する構成であってよく、上限回数［Ｎ］および合算値［Ｔ］が小さい程、分注単位を変更する希釈容器番号は小さくてよい。
【００６７】
例えば分注単位を割り付ける希釈容器Ｐ３の個数＝２個である場合、演算処理部５４は、希釈容器番号１，２の両方に分注単位［１単位］を割り付けた第１分注パターン［１，１］、および希釈容器番号１に分注単位［２単位］を割り付け、希釈容器番号２に分注単位［１単位］を割り付けた第２分注パターン［２，１］を作成する。
【００６８】
また、希釈容器Ｐ３の個数＝３個である場合、演算処理部５４は、一例として第１分注パターン［１，１，１］、および第２分注パターン［２，１，１］を作成する。
【００６９】
＜ステップＳ２０２＞
ステップＳ２０２において、演算処理部５４は、ステップＳ２０１で作成した各分注パターンの希釈容器Ｐ３に対して、第ｍグループの測定項目を順次に割り付けた分注シミュレーションを実施し、分注パターンを決定する。この場合、ステップＳ１０２で取得した測定項目間の分注順序で、各分注パターンの希釈容器Ｐ３に対して測定項目を割り付けていく。
【００７０】
ここでの測定項目の割り付けは、ステップＳ２０１で説明した測定項目の割り付けと同様であり、１つの希釈容器Ｐ３に対し、分注の上限回数［Ｎ］の範囲、および分注可能量の範囲で測定項目を割り付ける。ただし分注可能量は、分注単位の割り付けが１単位の希釈容器Ｐ３であれば分注可能量は１００μＬであり、２単位の希釈容器Ｐ３であれば分注可能量は２５０μＬである。
【００７１】
表３には、上述した分注単位を割り付ける希釈容器Ｐ３の個数＝２個の場合において、第２分注パターン［２，１］に、第ｍグループの測定項目を割り付けた分注シミュレーションの例を示す。なお、第１分注パターン［１，１］に、第ｍグループの測定項目を割り付けた分注シミュレーションの例は、表２に示した通りである。
【００７２】
【表３】
2020106325.tif 000005
【００７３】
またここでは各分注パターンに対する分注シミュレーションにおいて、測定項目が割り付けされた希釈容器Ｐ３のみを残し、測定項目が割り付けされなかった希釈容器Ｐ３を除外して分注パターンを決定する。表２および表３に示した例では、第１分注パターン［１，１］、第２分注パターン［２，１］とも、２個の希釈容器Ｐ３に対して測定項目が割り付けられている。このため、第１分注パターン［１，１］および第２分注パターン［２，１］が、そのまま第ｍグループの分注パターンとして決定される。
【００７４】
一方、第２分注パターン［２，１］の２つの希釈容器Ｐ３のうち、希釈容器番号１の希釈容器Ｐ３に対してのみ測定項目が割り付けられ、希釈容器番号２の希釈容器Ｐ３に対して測定項目が割り付けられない場合、第２分注パターン［２，１］を、第２分注パターン［２］に変更する。そして、第１分注パターン［１，１］および第２分注パターン［２］を、第ｍグループの分注パターンに決定する。
【００７５】
＜ステップＳ２０３＞
次いでステップＳ２０３において、演算処理部５４は、ステップＳ２０２の分注シミュレーションで決定された各分注パターンにおける希釈検体の廃棄量を算出する。ここでは、各希釈容器Ｐ３から各反応容器Ｐ６に希釈検体を分注した場合に、各希釈容器Ｐ３内に残される希釈検体の合計量を廃棄量として算出する。この際、各希釈容器Ｐ３への検体と希釈液との分注量から、各希釈容器Ｐ３に割り当てられた測定項目の検体使用量の合計を差し引き、その値を廃棄量とする。下記表４および表５には、上述した第１分注パターン（表２）と第２分注パターン（表３）について算出した廃棄量を示す。
【００７６】
【表４】
2020106325.tif 000006
【００７７】
【表５】
2020106325.tif 000007
【００７８】
＜ステップＳ２０４＞
ステップＳ２０４において、演算処理部５４は、分注パターンの中から、ステップＳ２０３で算出した廃棄量が最小となる分注パターンを抽出し、抽出した分注パターンを第ｍグループの分注パターンに設定する。表４および表５に示した第１分注パターンの廃棄量と第２分注パターンの廃棄量との比較では、第１分注パターンの廃棄量＝１３４．６μＬに対し、第２分注パターンの廃棄量＝４８４．６μＬである。この場合、より廃棄量の少ない第１分注パターンが、第ｍグループの分注パターンとして設定される。
【００７９】
以上のように第ｍグループの分注パターンを第１分注パターンに設定した後には、ステップＳ３０１に進む。
【００８０】
＜ステップＳ３０１＞
ステップＳ３０１において、演算処理部５４は、ステップＳ１０４でグループ化した全てのグループについて、分注パターンの設定が終了したか否かの判断を実施する。そして、終了した（ＹＥＳ）と判断した場合にはステップＳ３０２に進み、終了していない（ＮＯ）と判断した場合にはステップＳ３０３に進む。
【００８１】
＜ステップＳ３０２＞
ステップＳ３０２において、演算処理部５４は、設定した分注パターンを適用し、ステップＳ１０４においてグループ化した全ｍグループの分注処理を、第１グループ〜第ｍグループの順に開始し、検体の分注開始処理を終了させる。第１グループ〜第ｍグループの分注処理においては、上述した分注シミュレーションと同一の分注条件での分注を実施する。
【００８２】
＜ステップＳ３０３＞
一方、ステップＳ３０３において、演算処理部５４は、ｍ＝ｍ＋１のインクリメント処理を行い、ステップＳ１０６に戻り、以降のステップを順次実施する。
【００８３】
≪実施形態の効果≫
以上説明した実施形態によれば、複数の希釈容器Ｐ３に対する分注単位の割り付けを変更した分注シミュレーションを実施することにより、検体の廃棄量が最も少なくなるように分注単位を各希釈容器Ｐ３に割り付けた分注処理を行うことができ、検体の廃棄量を最小限に抑えた自動分析を実施することが可能である。
【００８４】
ここで下記表６には、上記表１とは別の第ｍグループ内の測定項目と、各測定項目の分析における検体使用量の一例を、測定項目に割り当てられた分注順に測定項目番号を付して示した。
【００８５】
【表６】
2020106325.tif 000008
【００８６】
このような別の第ｍグループについて、上述したステップＳ２０１の手順で分注パターンを作成し、作成した分注パターンに対してステップＳ２０２の手順で第ｍグループの測定項目を順次に割り付けた分注シミュレーションを実施した例を、下記表７および表８に示す。
【００８７】
【表７】
2020106325.tif 000009
【００８８】
【表８】
2020106325.tif 000010
【００８９】
上記表７に示すように、分注単位［１単位］が割り付けられた各希釈容器Ｐ３に対して、別の第ｍグループの測定項目を割り付けるには、３個の希釈容器Ｐ３が必要であることがわかる。この場合、各分注パターンにおける分注単位の割り付け例は、表７に示した第１分注パターン［１，１，１］と、表８に示した第２分注パターン［２，１，１］とした。なお、別の第ｍグループの測定項目の数と、ステップＳ１０６で算出した合算値［Ｔ］とによっては、別の第ｍグループの分注パターンは、第１分注パターン［１，１，１］、第２分注パターン［２，１，１］、第３分注パターン［２，２，１］、および第４分注パターン［１，２，１］としてもよい。
【００９０】
表８に見られるように、他の第ｍグループの測定項目を、第２分注パターン［２，１，１］に対して割り付けた場合には、希釈容器番号１の希釈容器Ｐ３に対してのみ測定項目が割り付けられ、他の２個の希釈容器Ｐ３への測定項目の割り付けはない。このため、ステップＳ２０２においては、第２分注パターン［２，１，１］は、第２分注パターン［２］に変更される。そして、第１分注パターン［１，１，１］および第２分注パターン［２］が、別の第ｍグループの分注パターンとして決定される。
【００９１】
下記表９および表１０には、上述した第１分注パターン［１，１，１］および第２分注パターン［２］について、ステップＳ２０３の手順によって算出した希釈検体の廃棄量を示す。
【００９２】
【表９】
2020106325.tif 000011
【００９３】
【表１０】
2020106325.tif 000012
【００９４】
この結果から、ステップＳ２０４の手順においては、廃棄量が最小となる分注パターンを抽出として、表１０に示した第２分注パターン［２］が、別の第ｍグループの分注パターンとして設定される。
【００９５】
以上の例にも示されるように、上述した実施形態によれば、複数の希釈容器Ｐ３に対する分注単位の割り付けを変更した分注シミュレーションを実施することにより、検体の廃棄量が最も少なくなるように分注単位を各希釈容器Ｐ３に割り付けた分注処理を行うことができ、検体の廃棄量を最小限に抑えた自動分析を実施することが可能である。
【００９６】
なお、上述した実施形態の自動分析方法における分注シミュレーションにおいては、先ず複数の希釈容器Ｐ３に対する希釈検体の分注単位を変更した複数の分注パターンを作成し、作成した複数の分注パターンのそれぞれに測定項目の検体使用量を割り付ける手順とした。しかしながら、本発明の自動分析方法において実施される分注シミュレーションは、実際の分注条件と同様の分注シミュレーションを実施して廃棄量を算出する構成であれば、このような手順に限定されることはない。例えば、１つの分注パターンに対して測定項目の検体使用量を割り付けて検体の廃棄量を算出した後、分注単位の割り付けを変更した次の分注パターンに対して次の測定項目の検体使用量を割り付けて検体の廃棄量を算出する構成であってもよい。
【符号の説明】
【００９７】
１…自動分析装置
２…検体保持部
３…希釈容器保持部
６…反応容器保持部
２０ａ…検体分注装置
２０ｂ…希釈検体分注装置
５２…入力部
５４…演算処理部
５５…駆動制御部
Ｐ２…検体容器
Ｐ３…希釈容器
Ｐ６…反応容器
［Ｎ］…分注の上限回数
［ｄ］…セルダミー量
［Ｓ］…検体
［Ｓｄ］…希釈検体
［ｖ］…分注単位量
［Ｕ］…分注単位数上限
【図１】
2020106325.tif 000013
【図２】
2020106325.tif 000014
【図３】
2020106325.tif 000015
【図４】
2020106325.tif 000016
【図５】
2020106325.tif 000017